(57)【要約】【課題】緊締部材の円錐形状を呈する緊締主体との嵌合による緊迫により、足載せリングが椅子にある中心管に安定に固定される。【解決手段】椅子の中心管に組み付けられて足載せリングと嵌合する、椅子用足載せリングの緊締構造であって、前記足載せリングの椅子にある中心管と嵌合するブッシュが円錐形状を呈し、前記足載せリングにあるブッシュと、椅子にある中心管との間には緊締部材が組付けてあり、前記緊締部材は、緊締主体と、前記緊締主体と前記足載せリングにあるブッシュとを結合する固定リングと、を含み、前記緊締主体は、前記足載せリングの円錐形状を呈するブッシュと嵌合可能な円錐形状を呈し、その中心には、椅子の中心管と嵌合するための嵌め穴が開設してあり、その上では溝が少なくとも一つ開設してあることを特徴とする椅子用足載せリングの緊締構造。【選択図】図２
0003131607.tif 000002
【実用新案登録請求の範囲】
【請求項１】
椅子の中心管に組み付けられて足載せリングと嵌合する、椅子用足載せリングの緊締構造であって、
前記足載せリングの椅子にある中心管と嵌合するブッシュが円錐形状を呈し、前記足載せリングにあるブッシュと、椅子にある中心管との間には緊締部材が組付けてあり、前記緊締部材は、緊締主体と、前記緊締主体と前記足載せリングにあるブッシュとを結合する固定リングと、を含み、
前記緊締主体は、前記足載せリングの円錐形状を呈するブッシュと嵌合可能な円錐形状を呈し、その中心には、椅子の中心管と嵌合するための嵌め穴が開設してあり、その上では溝が少なくとも一つ開設してあることを特徴とする、
椅子用足載せリングの緊締構造。
【請求項２】
前記固定リングは、中心には椅子の中心管と嵌合するための貫通孔が開設してあり、周壁面には係り溝が複数に設けてあり、また、前記緊締主体の上縁には前記固定リングにある係り溝と係止するための係りティースが設けてあり、また、前記係り溝には前記固定リングの底端から上へ伸びて形成される溝口が開設してあり、前記溝口からある角度で横方向に傾斜し伸びて形成される係止段が開設してあり、前記係りティースが溝口に入れられて溝口の底端に当たって前記係止段へ旋回すると、前記固定リングと前記緊締主体とが係止状態になり、また、前記固定リングの上縁には外側に伸びた止め縁が設けてあり、前記止め縁により前記固定リングが前記ブッシュの上端面に止められることを特徴とする、請求項１に記載の椅子用足載せリングの緊締構造。
【請求項３】
前記緊締主体の嵌め穴の内壁面には複数の溝が環設してあり、前記溝の壁面には嵌め穴が開設してあり、更に、前記溝の内部に設置する滑止パッドが設けてあり、前記滑止パッドの上縁には、前記嵌め穴と嵌合する突起が凸設してあることを特徴とする、請求項１に記載の椅子用足載せリングの緊締構造。
【考案の詳細な説明】
【技術分野】
【０００１】
本考案は、椅子用足載せリングの緊締構造に係り、特に、足載せリングと、足載せリングの椅子にある中心管に嵌め設けるブッシュとの間に緊締部材が組付けてあり、足載せリングにあるブッシュと、緊締部材の円錐形状を呈する緊締主体との嵌合による緊迫により、足載せリングが椅子にある中心管に安定に固定される、椅子用足載せリングの緊締構造に関するものである。
【背景技術】
【０００２】
目下、事務用椅子に組み付けられる足載せリングは、その中心には椅子にある中心管に嵌合するブッシュが設けてあり、また、前記ブッシュにはねじ穴がラジアル方向に開設してあり、足載せリングと椅子にある中心管とを固定するための締付具が前記ねじ穴に螺合され、前記締付具をねじ込むと、前記締付具の先端が椅子にある中心管の周面に緊迫するようになり、これにより、足載せリングと椅子にある中心管とが結合状態になる。
【考案の開示】
【考案が解決しようとする課題】
【０００３】
しかしながら、これは次のような欠点があった。
（イ）一般の椅子の中心管の周面が極めてスムーズであり、且つ足載せリングは、一つの締付具によって椅子にある中心管の周面と点接触して固定され、その接触点だけでユーザの大きい足踏み力を受けるので、ユーザの足踏み力が前記締付具の椅子にある中心管に対する緊迫力よりも大きい場合には、足載せリングが墜落することがあった。
【０００４】
（ロ）従来の椅子の足載せリングの高さを調整する場合には、手で締付具を回転することが必要であるが、力のより小さい婦人や子供にとっては、足載せリングを安定に固定することが困難である。
【課題を解決するための手段】
【０００５】
上記目的を達成するためになされた本願の第１考案は、椅子の中心管に組み付けられて足載せリングと嵌合する、椅子用足載せリングの緊締構造であって、前記足載せリングの椅子にある中心管と嵌合するブッシュが円錐形状を呈し、前記足載せリングにあるブッシュと、椅子にある中心管との間には緊締部材が組付けてあり、前記緊締部材は、緊締主体と、前記緊締主体と前記足載せリングにあるブッシュとを結合する固定リングと、を含み、前記緊締主体は、前記足載せリングの円錐形状を呈するブッシュと嵌合可能な円錐形状を呈し、その中心には、椅子の中心管と嵌合するための嵌め穴が開設してあり、その上では溝が少なくとも一つ開設してあることを特徴とする椅子用足載せリングの緊締構造であることを要旨としている。
【０００６】
本願の第２考案では、前記固定リングは、中心には椅子の中心管と嵌合するための貫通孔が開設してあり、周壁面には係り溝が複数に設けてあり、また、前記緊締主体の上縁には前記固定リングにある係り溝と係止するための係りティースが設けてあり、また、前記係り溝には前記固定リングの底端から上へ伸びて形成される溝口が開設してあり、前記溝口からある角度で横方向に傾斜し伸びて形成される係止段が開設してあり、前記係りティースが溝口に入れられて溝口の底端に当たって前記係止段へ旋回すると、前記固定リングと前記緊締主体とが係止状態になり、また、前記固定リングの上縁には外側に伸びた止め縁が設けてあり、前記止め縁により前記固定リングが前記ブッシュの上端面に止められることを特徴とする第１考案に記載の椅子用足載せリングの緊締構造であることを要旨としている。
【０００７】
本願の第３考案では、前記緊締主体の嵌め穴の内壁面には複数の溝が環設してあり、前記溝の壁面には嵌め穴が開設してあり、更に、前記溝の内部に設置する滑止パッドが設けてあり、前記滑止パッドの上縁には、前記嵌め穴と嵌合する突起が凸設してあることを特徴とする第１考案に記載の椅子用足載せリングの緊締構造であることを要旨としている。
【考案の効果】
【０００８】
本考案の椅子用足載せリングの緊締構造によれば、次のような効果がある。
（イ）足載せリングの円錐形状を呈するブッシュと、足載せリングにあるブッシュと椅子にある中心管との間に組み付けられた緊締主体と、の嵌合による緊迫効果により、足載せリングに加えるユーザの足踏み力が大きいほど、足載せリングにあるブッシュと緊締主体との間の緊迫力が大きくなり、だから、緊締主体が椅子にある中心管に確りと固定されるようになり、ひいては足載せリングが椅子にある中心管に安定に固定される。
【０００９】
（ロ）緊締主体に環設された一つ以上の溝により、緊締主体が緊迫される場合には、緊締主体が均一に縮径になり、これにより、緊締主体が椅子にある中心管に確りと固定されるようになり、ひいては足載せリングが椅子にある中心管に安定に固定される。
【００１０】
（ハ）緊締主体の嵌め穴の内壁面に複数の滑止パッドが環設してあるので、緊締主体が足載せリングにあるブッシュに押圧されるときには、前記滑止パッドにより、緊締主体の椅子にある中心管に対する摩擦力が大幅に増加し、だから、緊締主体が椅子にある中心管に確りと固定されるようになり、ひいては足載せリングが椅子にある中心管に安定に固定される。
【００１１】
（ニ）足載せリングの高さを調整しようとする場合には、足載せリングを上へ引き上げると、緊締主体が足載せリングに押圧されなくなり、ひいては緊締主体が椅子にある中心管を圧迫しなくなり、このとき、足載せリングの高さを容易に調整することができる。
【考案を実施するための最良の形態】
【００１２】
以下、添付図面を参照して本考案の好適な実施の形態を詳細に説明する。
【００１３】
まず、図１と図２を参照する。本考案の椅子用足載せリングの緊締構造は、椅子１の中心管１１に組み付けられて足載せリング２と嵌合し、また、前記足載せリング２の椅子１にある中心管１１と嵌合するブッシュ２１が円錐形状を呈し、前記足載せリング２にあるブッシュ２１と、椅子１にある中心管１１との間には緊締部材３が組付けてあり、前記緊締部材３は、緊締主体３１と、前記緊締主体３１と前記足載せリング２にあるブッシュ２１とを結合する固定リング３２と、を含む。
【００１４】
前記緊締主体３１は、前記足載せリング２の円錐形状を呈するブッシュ２１と嵌合可能な円錐形状を呈し、その中心には、椅子１の中心管１１と嵌合するための嵌め穴３１１が開設してあり、その上では溝３１２が少なくとも一つ開設してあり、これにより、前記緊締主体３１が圧迫されているときに、前記緊締主体３１は、縮径自在になり、椅子１にある中心管１１に確りと押圧することができるようになり、また、前記緊締主体３１の嵌め穴３１１の内壁面には複数の溝３１３が環設してあり、前記溝３１３の壁面には滑止パッド３１５を設けるための嵌め穴３１４が開設してあり、図４に示すように、前記滑止パッド３１５の上縁には前記嵌め穴３１４と嵌合する突起３１６が凸設してあり、また、前記緊締主体３１の上縁には、前記固定リング３２と係合するための係りティース３１７が複数に環設してある。
【００１５】
前記固定リング３２は、中心には椅子１の中心管１１と嵌合するための貫通孔３２１が開設してあり、周壁面には係り溝３２２が複数に設けてあり、また、前記緊締主体３１の上縁には前記固定リング３２にある係り溝３２２と係止するための係りティース３１７が設けてあり、また、前記係り溝３２２には前記固定リング３２の底端から上へ伸びて形成される溝口３２３が開設してあり、前記溝口３２３からある角度で横方向に傾斜し伸びて形成される係止段３２４が開設してあり、また、前記固定リング３２の上縁には外側に伸びた止め縁３２５が設けてあり、前記止め縁３２５により前記固定リング３２が前記ブッシュ２１の上端面に止められ、また、前記固定リング３２の側面には閉塞穴３２６が開設してあり、前記緊締主体３１には前記閉塞穴３２６に応じて閉塞穴３１８も設けてあり、位置決めピン３３を前記閉塞穴３２６，３１８に挿入することにより、前記固定リング３２と前記緊締主体３１とが結合状態になる。
【００１６】
次に、図２と図３を参照しながら本考案の組付方法を詳細に説明する。まず、足載せリング２にあるブッシュ２１に緊締部材３にある緊締本体３１を嵌め込んで、固定リング３２にある係り溝３２２の溝口３２３に、緊締本体３１の周縁に設けられた係りティース３１７を入れて、係りティース３１７を溝口３２３の底端に当たって前記係止段３２４へ旋回すると、図４に示すように、前記固定リング３２と前記緊締主体３１とが係止状態になり、このとき、図５に示すように、前記固定リング３２にある閉塞穴３２６と、前記緊締主体３１にある閉塞穴３１８とを位置合わせて位置決めピン３３を挿入し、これにより、図５に示すように、前記固定リング３２と前記緊締主体３１とが結合状態になり、前記固定リングの止め縁３２５が前記ブッシュ２１の上端面に止められるように、上記両者の結合体を足載せリング２にあるブッシュ２１に押し入れて、緊締部材３が組み付けてある足載せリング２に、椅子１にある中心管１１を嵌め込むと、組付作業が完成した。
【００１７】
次に、本考案の使用状態を詳細に説明する。ユーザーが足載せリング２を踏んでいるときに、足載せリング２にあるブッシュ２１の内部に組み付けられた緊締部材３にある緊締本体３１の滑止パッド３１５の摩擦力により、足載せリング２の円錐形状を呈するブッシュ２１と、緊締本体３１とが緊迫状態になり、緊締本体３１が圧迫されている際には、その溝３１２により、緊締本体３１が容易に縮径して椅子１にある中心管１１に圧迫し、これにより、足載せリング２が椅子１にある中心管１１に固定されるようになり、また、足載せリング２に加えられる踏み力が大きいほど、足載せリング２にあるブッシュ２１の内部に組み付けられた緊締本体３１に対する圧迫力が大きいので、緊締本体３１の椅子１にある中心管１１に対する摩擦力も大きくなり、だから、足載せリング２が椅子１にある中心管１１にもっと安定に固定されるようになり、また、前記滑止パッド３１５により、緊締本体３１の椅子１にある中心管１１に対する摩擦力がもっと大きくなり、これにより、足載せリング２と椅子１にある中心管１１との結合がもっと安定になる。
【００１８】
また、足載せリング２の高さを調整しようとする場合には、足載せリング２を上へ引き上げるだけで、緊締主体３１が足載せリング２にあるブッシュ２１に押圧されなくなり、ひいては緊締主体３１が椅子１にある中心管１１を圧迫しなくなり、このとき、ユーザは足載せリングの高さを容易に調整することができる。
【図面の簡単な説明】
【００１９】
【図１】本考案を椅子に組み付けられた状態を示す側面概略図である。
【図２】本考案の分解斜視図である。
【図３】本考案の組合状態の斜視図である。
【図４】本考案の一部の側面断面図１である。
【図５】本考案の一部の側面断面図２である。
【符号の説明】
【００２０】
１        椅子                          １１      中心管
２        足載せリング          ２１      ブッシュ
３        緊締部材              ３１      緊締主体
３１１    嵌め穴                ３１２    溝
３１３    溝                    ３１４    嵌め穴
３１５    滑止パッド            ３１６    突起
３１７    係りティース          ３１８    閉塞穴
３２      固定リング            ３２１    貫通孔
３２２    係り溝                ３２３    溝口
３２４    係止段                ３２５    止め縁
３２６    閉塞穴                ３３      位置決めピン
【図１】
0003131607.tif 000003
【図２】
0003131607.tif 000004
【図３】
0003131607.tif 000005
【図４】
0003131607.tif 000006
【図５】
0003131607.tif 000007